(57)【要約】【課題】  内腔壁によって画成された内腔からステント等の物体を簡単に回収することが可能な回収用デバイスを提供する。【解決手段】  回収用デバイス１は、内腔壁によって画成された内腔からステント等の物体を回収するために使用されるデバイスである。回収用デバイス１は、中空の可撓管であるカテーテル４の内部に進退可能に挿通される操作ワイヤ２と、操作ワイヤ２の先端に設けられたスネアワイヤ３と、を備えている。スネアワイヤ３は、１本の線材からなり、基端側の第１ループ部３ａと、先端側の第２ループ部３ｂと、第１ループ部３ａと第２ループ部３ｂとの交点３ｃと、からなる二重ループ状に形成されている。【選択図】  図３
2019176991.tif 000002
【特許請求の範囲】
【請求項１】
内腔壁によって画成された内腔から物体を回収するために使用される回収用デバイスであって、
中空の可撓管の内部に進退可能に挿通される操作ワイヤと、
前記操作ワイヤの先端に設けられたスネアワイヤと、を備え、
前記スネアワイヤは、１本の線材からなり、基端側の第１ループ部と、先端側の第２ループ部と、前記第１ループ部と前記第２ループ部との交点と、からなる二重ループ状に形成されていることを特徴とする回収用デバイス。
【請求項２】
前記第１ループ部と前記第２ループ部が、近接してほぼ同心円状に配置されている、請求項１に記載の回収用デバイス。
【請求項３】
前記内腔内で前記操作ワイヤを回転させる際に、前記第１ループ部から回転し、続いて前記第２ループ部が回転することで、前記第１ループ部が存在する第１の面と前記第２ループ部が存在する第２の面とが交差する３次元形状となる、請求項１に記載の回収用デバイス。
【請求項４】
前記スネアワイヤが形状記憶合金製の線材からなる、請求項１〜３のいずれか１項に記載の回収用デバイス。
【請求項５】
前記スネアワイヤがニッケルチタン合金、ステンレス鋼、チタン及びチタン合金のうちのいずれか一つの線材からなる、請求項１〜３のいずれか１項に記載の回収用デバイス。
【請求項６】
前記線材の線径が０．１〜０．７ｍｍである、請求項１〜５のいずれか１項に記載の回収用デバイス。
【請求項７】
前記第１ループ部と前記第２ループ部をそれぞれ円形にした際の直径が１０〜７０ｍｍである、請求項１〜６のいずれか１項に記載の回収用デバイス。
【請求項８】
少なくとも前記操作ワイヤが、複数の金属線材を撚り合わせた撚線からなる、請求項１〜７のいずれか１項に記載の回収用デバイス。
【発明の詳細な説明】
【技術分野】
【０００１】
本発明は、回収用デバイスに関する。さらに詳細には、本発明は、内腔壁によって画成された内腔からステント等の物体を回収するために使用される回収用デバイスに関する。
【背景技術】
【０００２】
従来、迷入したステントを、スネア（回収用デバイス）で回収する技術が知られている（例えば、特許文献１，非特許文献１等を参照）。
【０００３】
特許文献１には、ステントの留置位置が適切でなく、ステントの挿入操作をやり直す必要が生じた場合に、ループ状のスネアを、ステントの一端側に引っ掛けて、ステントを医療用チューブ内に引き戻すようにすることが記載されている（特許文献１の段落［００５１］，［００５２］等を参照）。
【０００４】
非特許文献１には、膵体部中央の膵管内に迷入した膵管ステントを、ループ状のスネアを用いて回収することが記載されている（非特許文献１のFigure 3, Figure 4 等を参照）。
【先行技術文献】
【特許文献】
【０００５】
【特許文献１】特開２０１７−０７０５１２号公報
【非特許文献】
【０００６】
【非特許文献１】加藤功大、外６名、“迷入した膵管ステントを血管内処置具により回収し得た１例”、[online]、平成２５年１１月、日本消化器内視鏡学会、［平成３０年２月２０日検索］、インターネット〈URL:https://www.jstage.jst.go.jp/article/gee/55/11/55_3598/_pdf〉
【発明の概要】
【発明が解決しようとする課題】
【０００７】
しかし、従来のスネア（回収用デバイス）では、ステントをうまく引っ掛けることに熟練した技術が必要であり、ステントの回収作業に時間がかかるという課題があった。
【０００８】
そこで、本発明は、熟練した技術を要することなく、内腔壁によって画成された内腔からステント等の物体を簡単に回収することが可能な回収用デバイスを提供することを目的とする。
【課題を解決するための手段】
【０００９】
前記目的を達成するため、本発明に係る回収用デバイスの構成は、
（１）内腔壁によって画成された内腔から物体を回収するために使用される回収用デバイスであって、
中空の可撓管の内部に進退可能に挿通される操作ワイヤと、
前記操作ワイヤの先端に設けられたスネアワイヤと、を備え、
前記スネアワイヤは、１本の線材からなり、基端側の第１ループ部と、先端側の第２ループ部と、前記第１ループ部と前記第２ループ部との交点と、からなる二重ループ状に形成されていることを特徴とする。
【００１０】
本発明の回収用デバイスの上記（１）の構成は、次のような作用効果を奏する。すなわち、上記（１）の構成において、操作ワイヤを、中空の可撓管の内部に挿通し、患者の切開した太ももの付け根等から可撓管を内腔内に挿入し、その先端部をステント等の物体の近傍まで持って行く。次いで、可撓管の基端部を左手で把持し、操作ワイヤの基端を右手で持って操作ワイヤを前進させることにより、可撓管の先端からスネアワイヤを押し出す。次いで、操作ワイヤを進退させながら、スネアワイヤをステント等の物体に引っ掛ける。この場合、ステント等の物体は、第１及び第２ループ部の少なくともどちらか一方に引っ掛かればよい。したがって、本発明の回収用デバイスの上記（１）の構成によれば、熟練した技術を要することなく、内腔壁によって画成された内腔からステント等の物体を簡単に回収することができる。
【００１１】
本発明の回収用デバイスの上記（１）の構成においては、以下の（２）〜（８）のような構成にすることが好ましい。
【００１２】
（２）前記第１ループ部と前記第２ループ部が、近接してほぼ同心円状に配置されている。上記（２）の好ましい構成によれば、ほぼ同じ大きさの２つのループ部でステント等の物体を捕獲することが可能となるので、ステント等の物体を捕獲できる確率が上がる。
【００１３】
（３）前記内腔内で前記操作ワイヤを回転させる際に、前記第１ループ部から回転し、続いて前記第２ループ部が回転することで、前記第１ループ部が存在する第１の面と前記第２ループ部が存在する第２の面とが交差する３次元形状となる。上記（３）の好ましい構成によれば、交差する２つの面（ループ面）でステント等の物体を捕獲することが可能となるので、ステント等の物体を捕獲できる確率が上がる。
【００１４】
（４）前記スネアワイヤが形状記憶合金製の線材からなる。上記（４）の好ましい構成によれば、ステント等の物体を捕獲するために２つのループ部を生体内で理想的な状態にすることができる。
【００１５】
（５）前記スネアワイヤがニッケルチタン合金、ステンレス鋼、チタン及びチタン合金のうちのいずれか一つの線材からなる。上記（５）の好ましい構成によれば、生体適合性の条件を満たし、細径な可撓管内を通過しても潰れや折り癖などの変形が生じ難いスネアワイヤを実現することができる。
【００１６】
（６）前記線材の線径が０．１〜０．７ｍｍである。
【００１７】
（７）前記第１ループ部と前記第２ループ部をそれぞれ円形にした際の直径が１０〜７０ｍｍである。上記（７）の好ましい構成によれば、ステント等の物体を捕獲するために２つのループ部を理想的な大きさにすることができる。
【００１８】
（８）少なくとも前記操作ワイヤが、複数の金属線材を撚り合わせた撚線からなる。上記（８）の好ましい構成によれば、適度な可撓性と剛性を併せ持ち、軸方向への延伸性が小さく、また、手元操作による動作を確実に先端にまで伝えることのできるトルク伝達性を備えたものとすることができる。これにより、スネアワイヤをステントの留置位置等まで容易に持って行くことが可能で、かつ、２つのループ部の回転操作性に優れた回収用デバイスを提供することができる。
【発明の効果】
【００１９】
本発明によれば、熟練した技術を要することなく、内腔壁によって画成された内腔からステント等の物体を簡単に回収することができる。
【図面の簡単な説明】
【００２０】
【図１】図１は、本発明の一実施形態における回収用デバイスの構成を示す側面斜視図である。
【図２】図２は、図１における二点鎖線円部分Ａを拡大して示した図である。
【図３】図３は、本発明の一実施形態における回収用デバイスの構成部材である操作ワイヤを、中空の可撓管であるカテーテルの内部に進退可能に挿通した状態を示す側面斜視図である。
【図４】図４は、本発明の一実施形態における回収用デバイスの構成部材であるスネアワイヤの他の形状を示す拡大斜視図である。
【図５】図５は、大動脈解離及びその治療方法を説明するための図である。
【図６】図６は、大動脈解離の治療に用いられるステントの一例を示す側面図である。
【図７】図７は、本発明の一実施形態における回収用デバイスを、中空の可撓管であるカテーテルの内部に配置し、カテーテルの先端部を治療部位の近傍まで到達させた状態を示す側面斜視図である。
【図８】図８は、本発明の一実施形態における回収用デバイスの構成部材であるスネアワイヤを、図７の状態のカテーテルの先端から押し出した状態を示す側面斜視図である。
【図９】図９は、本発明の一実施形態における回収用デバイスの構成部材であるスネアワイヤを、ステントに引っ掛けている状態を示す側面斜視図である。
【図１０】図１０は、図９における二点鎖線円部分Ｇを拡大して示した図である。
【図１１】図１１は、本発明の一実施形態における回収用デバイスを用いて、ステントをカテーテルの内部へ引き込んだ状態を示す側面斜視図である。
【図１２】図１２は、本発明の一実施形態における回収用デバイスの構成部材であるスネアワイヤのさらなる他の形状を示す拡大斜視図である。
【発明を実施するための形態】
【００２１】
以下、好適な実施形態を用いて本発明をさらに具体的に説明する。但し、下記の実施形態は本発明を具現化した例に過ぎず、本発明はこれに限定されるものではない。
【００２２】
（回収用デバイスの構成）
まず、本発明の一実施形態における回収用デバイスの構成について、図１〜図４を参照しながら説明する。
【００２３】
図１〜図３に示す回収用デバイス１は、内腔壁によって画成された内腔からステント等の物体を回収するために使用されるデバイスである。この回収用デバイス１は、操作ワイヤ２、スネアワイヤ３を備えている。回収する物体としては、ステントの他に、カテーテルの破損した部分、人工血管、人工弁などがある。
操作ワイヤ２は、中空の可撓管であるカテーテル４の内部に進退可能に挿通される（図３の両矢印Ｂを参照）。操作ワイヤ２の基端には操作リング２ａが形成されており、操作リング２ａを持って操作ワイヤ２をカテーテル４の内部で進退させたり回転させたりすることができる（図３の両矢印Ｂ，Ｃを参照）。
スネアワイヤ３は、操作ワイヤ２の先端に設けられている。スネアワイヤ３は、１本の断面円形の線材からなり、外力がかからない自然状態において、基端側の第１ループ部３ａと、先端側の第２ループ部３ｂと、第１ループ部３ａと第２ループ部３ｂとの交点３ｃと、からなる二重ループ状に形成されている。この場合、交点３ｃは、第１ループ部３ａの先端側に存している。なお、交点３ｃは、外力がかからない自然状態で線材が交差する箇所であり、線材を捻れば交点３ｃ、第１ループ部３ａ、第２ループ部３ｂが存在しない状態になることもある。
【００２４】
ステント等の物体を回収するに際し、ステント等の物体は、第１及び第２ループ部３ａ，３ｂの少なくともどちらか一方に引っ掛かればよい。したがって、本実施形態の回収用デバイス１の構成によれば、熟練した技術を要することなく、内腔壁によって画成された内腔からステント等の物体を簡単に回収することができる。
【００２５】
以下、さらに詳細に説明する。図１〜図３に示すように、外力がかからない自然状態において、第１ループ部３ａと第２ループ部３ｂは、近接してほぼ同心円状に配置されている。かかる構成によれば、ほぼ同じ大きさの２つのループ部３ａ，３ｂでステント等の物体を捕獲することが可能となる。このため、ステント等の物体を捕獲できる確率が上がる。また、図２の状態から図４の状態へ、内腔内で操作ワイヤ２を図４の矢印Ｄ方向に回転させると、スネアワイヤ３は、基端側（手元側）の第１ループ部３ａから回転する。続いてさらに操作ワイヤ２を回転させることで、第２ループ部３ｂが回転する。これにより、第１ループ部３ａが存在する第１の面と第２ループ部３ｂが存在する第２の面とが交差する３次元形状となる。その結果、交差する２つの面（ループ面）でステント等の物体を捕獲することが可能となるので、ステント等の物体を捕獲できる確率が上がる。前記３次元形状となった状態において、第１ループ部３ａ（第１の面）と第２ループ部３ｂ（第２の面）との挟角は、８０°以上１００°以下であることが好ましい。かかる好ましい構成によれば、ステント等の物体を捕獲するために操作ワイヤ２を回転させる際に、２つのループ面を適切に交差させることが可能となる。なお、第１ループ部３ａと第２ループ部３ｂとの挟角は、ほぼ０°から０°以上４５°以下、好ましくは０°以上２０°以下と開いていてもよい。そして、操作ワイヤ２を回転させる際に、２つのループ部３ａ，３ｂの挟角がさらに大きくなる。
また、図３の状態からスネアワイヤ３を一旦カテーテル４の内部へ引き込んだ後、再びカテーテル４の先端から押し出すことで、第１ループ部３ａと第２ループ部３ｂが歪に変形して、スネアワイヤ３を上記とは異なる３次元形状とすることもできる。
【００２６】
スネアワイヤ３は、形状記憶合金製の線材からなっている。かかる構成によれば、ステント等の物体を捕獲するために２つのループ部３ａ，３ｂを生体内で理想的な状態にすることができる。すなわち、スネアワイヤ３は、内腔内でカテーテル４の先端から押し出されて体温まで加熱されたときに、第１ループ部３ａと第２ループ部３ｂが近接してほぼ同心円状に配置される形状（図１〜図３を参照）をとるようにすることができる。
【００２７】
また、スネアワイヤ３は、内腔内でカテーテル４の先端から押し出されて体温まで加熱されたときに、第１ループ部３ａが存在する第１の面と第２ループ部３ｂが存在する第２の面とが交差する３次元形状をとるようにすることもできる。すなわち、生体内で回転して３次元形状になるのではなく、自然状態で３次元形状となるようにしてもよい。この場合、２つのループ部３ａ，３ｂが回転する前から、ステント等の物体を回収しやすい形状となっている。このため、回転操作をすることなく、進退操作のみでステント等の物体を簡単に回収することもできる。
【００２８】
線材の材質は、例えば、ニッケルチタン合金、ステンレス鋼、チタン及びチタン合金のうちのいずれか一つであることが好ましい。かかる好ましい構成によれば、生体適合性の条件を満たし、細径なカテーテル４内を通過しても潰れや折り癖などの変形が生じ難いスネアワイヤ３を実現することができる。ステンレス鋼としては、ＳＵＳ３０４，ＳＵＳ３１６Ｌが好ましい。ＳＵＳ３０４は、入手が容易で比較的安価である。ＳＵＳ３１６Ｌは、ステンレス鋼の中で最も耐食性が良好である。線材の線径は０．１〜０．７ｍｍであり、特に０．２〜０．５ｍｍであることが好ましい。
【００２９】
第１ループ部３ａと第２ループ部３ｂをそれぞれ円形にした際の直径は１０〜７０ｍｍであり、特に２０〜５０ｍｍであることが好ましい。かかる好ましい構成によれば、ステント等の物体を捕獲するために２つのループ部３ａ，３ｂを理想的な大きさにすることができる。
【００３０】
操作ワイヤ２は、ステンレス鋼等の金属線材を複数撚り合わせた撚線からなっている。かかる構成によれば、操作ワイヤ２を、適度な可撓性と剛性を併せ持ち、軸方向への延伸性が小さく、また、手元操作による動作を確実に先端まで伝えることのできるトルク伝達性を備えたものとすることができる。これにより、スネアワイヤ３をステントの留置位置等まで容易に持って行くことが可能で、かつ、２つのループ部３ａ，３ｂの回転操作性に優れた回収用デバイス１を提供することができる。
【００３１】
（回収用デバイスの使用方法）
次に、本発明の一実施形態における回収用デバイスの使用方法について、大動脈解離の治療に用いられるステントを回収する場合を例に挙げて、図５〜図１１を参照しながら説明する。
【００３２】
大動脈は、外膜、中膜、内膜の３層構造となっており、十分な強さと弾力を持っている。しかし、なんらかの原因で内側にある内膜に裂け目（エントリー部）ができ、その外側の中膜の中に血液が流れ込んで長軸方向に大動脈が裂けることがある（図５（ａ），（ｂ）を参照）。これを「大動脈解離」というが、大動脈解離の治療方法として、ステントを血管内に一時的に留置する手法が提案されている（図５（ｃ）を参照）。
【００３３】
図５，図６に示すように、ステント５は、患者の切開した太ももの付け根からカテーテルの内部を通して送達され、大動脈内の治療部位に留置された状態で大動脈の内壁を内側からサポートするコイル形状の部材である。ステント５は、引っ張ることでカテーテルの内部に沿った細長い形状をとり、カテーテル先端から血管内へ送り出すことで大動脈の内壁を内側からサポート可能な巻回したコイル形状をとるように構成されている。また、ステント５は、基端に回収用のフック部５ａを備えている。
【００３４】
治療部位が完治した後や、仮留置用のステントから永久留置用のステントへ変更する際に、役目を終えたステント５は、以下のようにして回収される。この回収作業は、血管造影で確認しながら行われる。
まず、図５（ａ），図７に示すように、回収用デバイス１をカテーテル４の内部に配置した後、患者の切開した太ももの付け根からカテーテル４を血管内に挿入し（図７の矢印Ｅを参照）、その先端部を大動脈の治療部位の近傍まで持って行く。
【００３５】
次いで、図７，図８に示すように、カテーテル４の基端部を左手で把持し、操作ワイヤ２の基端の操作リング２ａを右手で持って操作ワイヤ２を前進させることにより（図７，図８の矢印Ｆを参照）、カテーテル４の先端からスネアワイヤ３を押し出す。このとき、スネアワイヤ３は、体温まで加熱されて、第１ループ部３ａと第２ループ部３ｂが近接してほぼ同心円状に配置された形状となる。
【００３６】
次いで、図８〜図１０に示すように、操作ワイヤ２を進退させながら（図９の両矢印Ｈを参照）、スネアワイヤ３をステント５のフック部５ａ（図６を参照）に引っ掛ける。スネアワイヤ３は、１本の線材からなり、基端側の第１ループ部３ａと、先端側の第２ループ部３ｂと、第１ループ部３ａと第２ループ部３ｂとの交点３ｃと、からなる二重ループ状に形成されており、ステント５のフック部５ａは第１及び第２ループ部３ａ，３ｂの少なくともどちらか一方に引っ掛かればよい。したがって、熟練した技術を要することなく、スネアワイヤ３をステント５のフック部５ａに簡単に引っ掛けることができる。特に、上記のように、第１ループ部３ａと第２ループ部３ｂが近接してほぼ同心円状に配置された形状となっていれば、ほぼ同じ大きさの２つのループ部３ａ，３ｂでステント５を捕獲することが可能となるので、ステント５を捕獲できる確率が上がる。
【００３７】
次いで、図９〜図１１に示すように、カテーテル４の基端部を左手で把持し、操作ワイヤ２の基端の操作リング２ａを右手で持って操作ワイヤ２を後退させることにより（図９〜図１１の矢印Ｉを参照）、ステント５をカテーテル４の内部へ引き込む。これにより、ステント５は、コイル形状から細長い形状に変形しながらカテーテル４の内部を後退し、生体外に回収される。最後に、カテーテル４を、患者の切開した太ももの付け根から抜去する（図１１の矢印Ｊを参照）。
以上により、大動脈解離の治療に用いられたステントの回収作業が完了する。
【００３８】
なお、上記実施形態においては、中空の可撓管としてカテーテル４を用いる場合を例に挙げて説明した。しかし、本発明は必ずしもこのような構成に限定されるものではない。中空の可撓管としては、例えば、シースを用いることもできる。
【００３９】
また、上記実施形態においては、スネアワイヤ３が断面円形の線材からなる場合を例に挙げて説明した。しかし、本発明は必ずしもこのような構成に限定されるものではない。線材は、平線などの異形断面のものであってもよい。
【００４０】
また、上記実施形態においては、第１ループ部３ａと第２ループ部３ｂとの交点３ｃが、第１ループ部３ａの先端側に存している場合を例に挙げて説明した。しかし、本発明は必ずしもこのような構成に限定されるものではない。例えば図１２に示すように、第１ループ部３ａと第２ループ部３ｂとの交点３ｄは、第１ループ部３ａの左右いずれの側に存していてもよい。
【００４１】
また、上記実施形態においては、外力がかからない自然状態において、スネアワイヤ３が、基端側の第１ループ部３ａと、先端側の第２ループ部３ｂと、第１ループ部３ａと第２ループ部３ｂとの交点３ｃと、からなる二重ループ状に形成され、第１ループ部３ａと第２ループ部３ｂが近接してほぼ同心円状に配置されている場合を例に挙げて説明した。すなわち、上記実施形態においては、外力がかからない自然状態において、第１ループ部３ａと第２ループ部３ｂがほぼ同じ大きさ（直径）である場合を例に挙げて説明した。しかし、本発明は必ずしもこのような構成に限定されるものではない。外力がかからない自然状態において、第１ループ部と第２ループ部は、どちらかが大きく、どちらかが小さくなって、同心円状の配置からずれていてもよい。
【００４２】
また、上記実施形態においては、操作ワイヤ２のみが複数の金属線材を撚り合わせた撚線からなっている場合を例に挙げて説明した。しかし、本発明は必ずしもこのような構成に限定されるものではない。操作ワイヤ、スネアワイヤともに複数の金属線材を撚り合わせた撚線からなる構成としてもよい。
【００４３】
また、上記実施形態においては、大動脈解離の治療に用いられるコイル形状のステントを回収する場合を例に挙げて説明した。しかし、本発明の回収用デバイスは必ずしもこのような用途に限定されるものではない。本発明の回収用デバイスは、例えば、特許文献１に開示されているようなメッシュ筒状のステントを回収する場合にも使用することができる。また、本発明の回収用デバイスは、例えば、一時的下大静脈フィルタ、ちぎれたカテーテルなどの血管内異物を除去する場合にも使用することもできる。そして、かかる場合にも、スネアワイヤ３を図１〜図３に示すような形状や３次元形状に持って行くことにより、血管内異物等を効率良く回収、除去することができる。
【符号の説明】
【００４４】
１  回収用デバイス
２  操作ワイヤ
２ａ  操作リング
３  スネアワイヤ
３ａ  第１ループ部
３ｂ  第２ループ部
３ｃ  交点
４  カテーテル
【図１】
2019176991.tif 000003
【図２】
2019176991.tif 000004
【図３】
2019176991.tif 000005
【図４】
2019176991.tif 000006
【図５】
2019176991.tif 000007
【図６】
2019176991.tif 000008
【図７】
2019176991.tif 000009
【図８】
2019176991.tif 000010
【図９】
2019176991.tif 000011
【図１０】
2019176991.tif 000012
【図１１】
2019176991.tif 000013
【図１２】
2019176991.tif 000014
【手続補正書】
【提出日】平成30年8月20日(2018.8.20)
【手続補正１】
【補正対象書類名】特許請求の範囲
【補正対象項目名】全文
【補正方法】変更
【補正の内容】
【特許請求の範囲】
【請求項１】
内腔壁によって画成された内腔から物体を回収するために使用される回収用デバイスであって、
中空の可撓管の内部に進退可能に挿通される操作ワイヤと、
前記操作ワイヤの先端に設けられたスネアワイヤと、を備え、
前記スネアワイヤは、１本の線材からなり、基端側の第１ループ部と、先端側の第２ループ部と、前記第１ループ部と前記第２ループ部との交点と、からなり、前記第１ループ部と前記第２ループ部は近接してほぼ同心の閉じた円状に配置されている二重ループ状に形成されており、
前記交点は、前記第１ループ部の先端側に存し、
前記操作ワイヤと前記第１ループ部と前記第２ループ部はほぼ同一平面上にあることを特徴とする回収用デバイス。
【請求項２】
前記内腔内で前記操作ワイヤを回転させる際に、前記第１ループ部から回転し、続いて前記第２ループ部が回転することで、前記第１ループ部が存在する第１の面と前記第２ループ部が存在する第２の面とが交差する３次元形状となる、請求項１に記載の回収用デバイス。
【請求項３】
前記スネアワイヤが形状記憶合金製の線材からなる、請求項１又は２に記載の回収用デバイス。
【請求項４】
前記スネアワイヤがニッケルチタン合金、ステンレス鋼、チタン及びチタン合金のうちのいずれか一つの線材からなる、請求項１又は２に記載の回収用デバイス。
【請求項５】
前記線材の線径が０．１〜０．７ｍｍである、請求項１〜４のいずれか１項に記載の回収用デバイス。
【請求項６】
前記第１ループ部と前記第２ループ部をそれぞれ円形にした際の直径が１０〜７０ｍｍである、請求項１〜５のいずれか１項に記載の回収用デバイス。
【請求項７】
少なくとも前記操作ワイヤが、複数の金属線材を撚り合わせた撚線からなる、請求項１〜６のいずれか１項に記載の回収用デバイス。
【手続補正２】
【補正対象書類名】明細書
【補正対象項目名】０００９
【補正方法】変更
【補正の内容】
【０００９】
前記目的を達成するため、本発明に係る回収用デバイスの構成は、
（１）内腔壁によって画成された内腔から物体を回収するために使用される回収用デバイスであって、
中空の可撓管の内部に進退可能に挿通される操作ワイヤと、
前記操作ワイヤの先端に設けられたスネアワイヤと、を備え、
前記スネアワイヤは、１本の線材からなり、基端側の第１ループ部と、先端側の第２ループ部と、前記第１ループ部と前記第２ループ部との交点と、からなり、前記第１ループ部と前記第２ループ部は近接してほぼ同心の閉じた円状に配置されている二重ループ状に形成されており、
前記交点は、前記第１ループ部の先端側に存し、
前記操作ワイヤと前記第１ループ部と前記第２ループ部はほぼ同一平面上にあることを特徴とする。
【手続補正３】
【補正対象書類名】明細書
【補正対象項目名】００１０
【補正方法】変更
【補正の内容】
【００１０】
本発明の回収用デバイスの上記（１）の構成は、次のような作用効果を奏する。すなわち、上記（１）の構成において、操作ワイヤを、中空の可撓管の内部に挿通し、患者の切開した太ももの付け根等から可撓管を内腔内に挿入し、その先端部をステント等の物体の近傍まで持って行く。次いで、可撓管の基端部を左手で把持し、操作ワイヤの基端を右手で持って操作ワイヤを前進させることにより、可撓管の先端からスネアワイヤを押し出す。次いで、操作ワイヤを進退させながら、スネアワイヤをステント等の物体に引っ掛ける。この場合、ステント等の物体は、第１及び第２ループ部の少なくともどちらか一方に引っ掛かればよい。特に、本発明の回収用デバイスの上記（１）の構成においては、第１ループ部と第２ループ部は近接してほぼ同心の閉じた円状に配置されており、ほぼ同じ大きさの２つのループ部でステント等の物体を捕獲することが可能となるので、ステント等の物体を捕獲できる確率が上がる。したがって、本発明の回収用デバイスの上記（１）の構成によれば、熟練した技術を要することなく、内腔壁によって画成された内腔からステント等の物体を簡単に回収することができる。
【手続補正４】
【補正対象書類名】明細書
【補正対象項目名】００１１
【補正方法】変更
【補正の内容】
【００１１】
本発明の回収用デバイスの上記（１）の構成においては、以下の（２）〜（７）のような構成にすることが好ましい。
【手続補正５】
【補正対象書類名】明細書
【補正対象項目名】００１２
【補正方法】削除
【補正の内容】
【手続補正６】
【補正対象書類名】明細書
【補正対象項目名】００１３
【補正方法】変更
【補正の内容】
【００１３】
（２）前記内腔内で前記操作ワイヤを回転させる際に、前記第１ループ部から回転し、続いて前記第２ループ部が回転することで、前記第１ループ部が存在する第１の面と前記第２ループ部が存在する第２の面とが交差する３次元形状となる。上記（２）の好ましい構成によれば、交差する２つの面（ループ面）でステント等の物体を捕獲することが可能となるので、ステント等の物体を捕獲できる確率が上がる。
【手続補正７】
【補正対象書類名】明細書
【補正対象項目名】００１４
【補正方法】変更
【補正の内容】
【００１４】
（３）前記スネアワイヤが形状記憶合金製の線材からなる。上記（３）の好ましい構成によれば、ステント等の物体を捕獲するために２つのループ部を生体内で理想的な状態にすることができる。
【手続補正８】
【補正対象書類名】明細書
【補正対象項目名】００１５
【補正方法】変更
【補正の内容】
【００１５】
（４）前記スネアワイヤがニッケルチタン合金、ステンレス鋼、チタン及びチタン合金のうちのいずれか一つの線材からなる。上記（４）の好ましい構成によれば、生体適合性の条件を満たし、細径な可撓管内を通過しても潰れや折り癖などの変形が生じ難いスネアワイヤを実現することができる。
【手続補正９】
【補正対象書類名】明細書
【補正対象項目名】００１６
【補正方法】変更
【補正の内容】
【００１６】
（５）前記線材の線径が０．１〜０．７ｍｍである。
【手続補正１０】
【補正対象書類名】明細書
【補正対象項目名】００１７
【補正方法】変更
【補正の内容】
【００１７】
（６）前記第１ループ部と前記第２ループ部をそれぞれ円形にした際の直径が１０〜７０ｍｍである。上記（６）の好ましい構成によれば、ステント等の物体を捕獲するために２つのループ部を理想的な大きさにすることができる。
【手続補正１１】
【補正対象書類名】明細書
【補正対象項目名】００１８
【補正方法】変更
【補正の内容】
【００１８】
（７）少なくとも前記操作ワイヤが、複数の金属線材を撚り合わせた撚線からなる。上記（７）の好ましい構成によれば、適度な可撓性と剛性を併せ持ち、軸方向への延伸性が小さく、また、手元操作による動作を確実に先端にまで伝えることのできるトルク伝達性を備えたものとすることができる。これにより、スネアワイヤをステントの留置位置等まで容易に持って行くことが可能で、かつ、２つのループ部の回転操作性に優れた回収用デバイスを提供することができる。